(57)【要約】【課題】  操作レバー体に接触子を強固に取付けることができ、復帰ばねと端子パターンとの絶縁性を確保することができ、スイッチの厚みを薄くすることを可能にする。【解決手段】  操作レバー体１４に、接触子１３を位置決めする位置決めピン４８と、接触子１３を取付ける爪部４９と、接触子１３の取付強度を補完する段部５１と、を備え、接触子１３に、位置決めピン４８に嵌合させる位置決め孔６４と、この位置決め孔６４の一方近傍を折曲げるともに爪部４９に嵌合させる嵌合部８６と、位置決め孔６４の他方近傍を嵌合部６５とは逆方向に曲げ形成することで段部５１に当てる逆曲げ部６６と、を備えた。【選択図】      図１２
2006100169.tif 000002
【特許請求の範囲】
【請求項１】
ベースに形成した端子パターンと、この端子パターンに摺動させる接触子と、この接触子を取付けるとともに前記ベースの略中央に回転自在に取付けた操作レバー体と、この操作レバー体及びベース間に介在させることで操作レバー体をイニシャル位置に復帰させる復帰ばねと、からなるレバースイッチにおいて、
前記操作レバー体は、前記接触子を位置決めする位置決めピンと、前記接触子を取付ける爪部と、前記接触子の取付強度を補完する段部と、を備え、
前記接触子は、前記位置決めピンに嵌合させる位置決め孔と、この位置決め孔の一方近傍を折曲げるともに前記爪部に嵌合させる嵌合部と、前記位置決め孔の他方近傍を前記嵌合部とは逆方向に曲げ形成することで前記段部に当てる逆曲げ部と、を備えたことを特徴とするレバースイッチ。
【請求項２】
前記操作レバー体に、前記ベースに回転自在に取り付けるための軸受部を設け、この軸受部の廻りに前記復帰ばねを収納する凹部を設け、前記端子パターンから前記復帰ばねを絶縁したことを特徴とする請求項１記載のレバースイッチ。
【請求項３】
前記接触子を、前記凹部の廻りに且つ前記復帰ばねとの干渉を回避する位置に配置したことを特徴とする請求項１又は請求項２記載のレバースイッチ。
【発明の詳細な説明】
【技術分野】
【０００１】
本発明は、操作レバーを回転させることでスイッチ動作ができるレバースイッチに関するものである。
【背景技術】
【０００２】
レバースイッチとして、操作レバー（操作レバー体）をスイング若しくは回転させることでスイッチ動作をさせることができるスイッチが実用に供されている。
実用のレバースイッチは、スイッチハウジング（ベース）に操作レバー、固定端子（端子パターン）及び可動接点（接触子）を設け、操作レバーで固定端子に可動接点を離接させるようにすれば実用上十分であった。
【０００３】
このようなレバースイッチとして、可動接点（接触子）に帯状の板ばねを曲げ形成し、この可動接点をスイッチハウジングに揺動自在（回転自在）に取付けた操作レバーで固定端子に離接するものが知られている（例えば、特許文献１参照。）。
【特許文献１】特開２００２−１５０８８５号公報（第６頁、図１）
【０００４】
図１４は従来の基本構成を説明する図であり、レバースイッチ１００は、略箱形のスイッチハウジング１０１と、このスイッチハウジング１０１に回転可能に取付けた操作レバー１０２と、この操作レバー１０２で作動するためにスイッチハウジング１０１に回転可能に支持した左右のアーム１０３，１０４と、左右のアーム１０３，１０４で動かすとともにスイッチハウジング１０１に変形可能に取付けた板ばねの可動接点１０５と、この可動接点１０５を離接するためにスイッチハウジング１０１に設けた固定端子１０６，１０７，１０８と、これらの固定端子１０６，１０７，１０８、可動接点１０５、左右のアーム１０３，１０４及び操作レバー１０２の下部を一括して覆うカバー（不図示）と、からなるレバースイッチである。
【０００５】
例えば、操作レバー１０２に直接的に可動接点１０５を取付け、操作レバー１０２をスイング（回転）させることで、可動接点１０５を固定端子に離接させる形式のレバースイッチにおいては、操作レバー１０２に可動接点１０５を強固に取付け、この可動接点１０５を安定させて固定端子１０６，１０７，１０８に接触させるようにしたいものである。
また、レバースイッチ１００の可動接点１０５は接点機能及び復帰ばね機能を有する部材であり、復帰ばねを別部品として用いる場合には、この復帰ばねと固定接点１０６，１０７，１０８の絶縁性を確保することが望まれる。
さらに、レバースイッチ１００の構成部材である操作レバー１０２、可動接点１０５などの部材の配置を工夫して、レバースイッチ１００を薄型にしたものである。
【発明の開示】
【発明が解決しようとする課題】
【０００６】
すなわち、本発明は、操作レバー（操作レバー体）に可動端子（接触子）を強固に取付けることができ、復帰ばね機能部材（復帰ばね）と固定端子（端子パターン）との絶縁性を確保することができ、スイッチの厚みを薄くすることができるレバースイッチを提供することを課題とする。
【課題を解決するための手段】
【０００７】
請求項１に係る発明は、ベースに形成した端子パターンと、この端子パターンに摺動させる接触子と、この接触子を取付けるとともにベースの略中央に回転自在に取付けた操作レバー体と、この操作レバー体及びベース間に介在させることで操作レバー体をイニシャル位置に復帰させる復帰ばねと、からなるレバースイッチにおいて、操作レバー体に、接触子を位置決めする位置決めピンと、接触子を取付ける爪部と、接触子の取付強度を補完する段部と、を備え、接触子に、位置決めピンに嵌合させる位置決め孔と、この位置決め孔の一方近傍を折曲げるともに爪部に嵌合させる嵌合部と、位置決め孔の他方近傍を嵌合部とは逆方向に曲げ形成することで段部に当てる逆曲げ部と、を備えたことを特徴とする。
【０００８】
例えば、操作レバー体に接触子を強固に取付けることができるとともに安定したスイッチングを実現することができれば、スイッチの信頼性の向上を図ることができるので好ましいことである。
【０００９】
そこで、操作レバー体に、接触子を位置決めする位置決めピンと、接触子を取付ける爪部と、接触子の取付強度を補完する段部と、を備え、接触子に、位置決めピンに嵌合させる位置決め孔と、この位置決め孔の一方近傍を折曲げるともに爪部に嵌合させる嵌合部と、位置決め孔の他方近傍を嵌合部とは逆方向に曲げ形成することで段部に当てる逆曲げ部と、を備えることで、操作レバー体に接触子を強固に取付ける。
【００１０】
請求項２に係る発明は、操作レバー体に、ベースに回転自在に取付けるための軸受部を設け、この軸受部の廻りに復帰ばねを収納する凹部を設け、端子パターンから復帰ばねを絶縁したことを特徴とする。
操作レバー体に、ベースに回転自在に取付けるための軸受部を設け、この軸受部の廻りに復帰ばねを収納する凹部を設けることで、端子パターンから復帰ばねの絶縁性を確保する。
【００１１】
請求項３に係る発明は、接触子を、凹部の廻りに且つ復帰ばねとの干渉を回避する位置に配置したことを特徴とする。
接触子を、凹部の廻りに且つ復帰ばねとの干渉を回避する位置に配置することで、レバースイッチの厚みを薄くする。
【発明の効果】
【００１２】
請求項１に係る発明では、操作レバー体に、接触子を位置決めする位置決めピンと、接触子を取付ける爪部と、接触子の取付強度を補完する段部と、を備え、接触子に、位置決めピンに嵌合させる位置決め孔と、この位置決め孔の一方近傍を折曲げるともに爪部に嵌合させる嵌合部と、位置決め孔の他方近傍を嵌合部とは逆方向に曲げ形成することで段部に当てる逆曲げ部と、を備えたので、操作レバー体に接触子を強固に取付けることができる。この結果、安定したスイッチング動作の実現を図ることができるという利点がある。
【００１３】
請求項２に係る発明では、操作レバー体に、ベースに回転自在に取り付けるための軸受部を設け、この軸受部の廻りに復帰ばねを収納する凹部を設けたので、端子パターンから復帰ばねの絶縁性を確保することができる。この結果、スイッチの信頼性の向上を図ることができるという利点がある。
【００１４】
請求項３に係る発明では、接触子を、凹部の廻りに且つ復帰ばねとの干渉を回避する位置に配置したので、レバースイッチの厚みを薄くすることができる。この結果、レバースイッチの用途の拡大を図ることができるという利点がある。
【発明を実施するための最良の形態】
【００１５】
本発明を実施するための最良の形態を添付図に基づいて以下に説明する。なお、図面は符号の向きに見るものとする。
図１は本発明に係るレバースイッチの斜視図であり、レバースイッチ１０は、ベース（ハウジング）１１に操作レバー体１４を揺動自在（回転自在）に取付けたスイッチであり、操作レバー体１４を白抜き矢印Ａ方向に倒したときにスイッチング動作をさせることができるとともに、操作レバー体１４を白抜き矢印Ｂ方向に倒したときにスイッチング動作をさせることができるスイッチである。図中、１２は端子パターン、１３は接触子、１５は復帰ばね、１６はカバーを示す。
【００１６】
図２は本発明に係るレバースイッチの分解斜視図であり、レバースイッチ１０は、ベース（スイッチハウジング）１１と、このベース１１に一体的に形成した端子パターン１２と、この端子パターン１２に摺動（接触）させる接触子１３と、この接触子１３を取付けるるとともにベース１１の略中央に回転自在に取付けた操作レバー体１４と、この操作レバー体１４に収納するとともに操作レバー体１４及びベース１１に掛け渡した復帰ばね（捩りばね）１５と、これらの復帰ばね１５、操作レバー体１４及び接触子１３を一括収納したベース１１に被せるカバー（ケース）１６と、からなる。
【００１７】
カバー１６は、金属の板材にて形成した部材であり、復帰ばね１５及び操作レバー体１４を覆うカバー本体１８と、このカバー本体１８から折曲げ形成することでベース（スイッチハウジング）１１に係止する係止爪１９，１９（一方不図示）と、からなる。
復帰ばね１５は、捩りばね（トーションばね）であり、操作レバー体１４に嵌め込むばね部２１と、このばね部２１から延出することでベース１１及び操作レバー体１４に掛ける左右の端部２２，２３と、からなる。
【００１８】
図３は本発明に係るレバースイッチのベースの平面図であり、図４は本発明に係るレバースイッチのベースの底面図である。
ベース（スイッチハウジング）１１は、絶縁材にて形成した略矩形の部材であり、復帰ばね１５、操作レバー体１４及び接触子１３を一括収納する収納部２５と、カバー１６の係止爪１９，１９（図２参照）を係止する突起部２６，２６と、操作レバー体１４を回転自在に支持する支軸２７と、操作レバー体１４のレバー部４２（図２参照）を外部に突出させる切り欠き２８と、復帰ばね１５（図２参照）の左右の端部２２，２３を交互に支持するばね支持部２９と、を形成したものである。
【００１９】
端子パターン１２は、ベース１１に一体的に形成（インサート）したパターンであり、ベース１１の一部で形成した絶縁部３１と、接触子１３の左の接触部６２ａ，６２ｂ（図２参照）及び右の接触部６３ａ，６３ｂに接触させるために半円形に露出させた共通端子（コモン端子）３２と、接触子１３の左の接触部６２ａ，６２ｂに接触させるために扇状に露出させた左端子３３と、接触子１３の右の接触部６３ａ，６３ｂに接触させるために扇状に露出させた右端子３４と、からなる。
【００２０】
図４に示すように、共通端子３２及び左・右端子３３，３４は、金属材料にて形成する部材であり、共通端子３２の外形は、略長方形形状を呈し、両端に接続部３５，３５を備える。左・右端子３３.３４の外形は、略矩形を呈し、一端にそれぞれ接続部３６，３７を備える。
【００２１】
図５は本発明に係るレバースイッチの操作レバー体の平面図であり、図６は本発明に係るレバースイッチの操作レバー体の側面図である。
操作レバー体１４は、基部をなす略円形の本体部４１と、この本体部４１から外方に延出することでスイッチ操作をするレバー部４２と、このレバー部４２の付け根且つ本体部４１に形成することで復帰ばね１５（図２参照）の左右の端部２２，２３を交互に掛けるばね掛け部４３と、本体部４１の略中央に形成することでベース１１（図２参照）の支軸２７に回転自在に嵌合させる軸受部４４と、この軸受部４４の外周４５廻りに且つ本体部４１に形成することで復帰ばね１５を収納する凹部４６と、この凹部４６に形成することでベース１１のばね支持部２９を貫通させるとともに操作レバー体１４のスイング（回転）を許容する円弧孔４７と、接触子１３（図２参照）を位置決めする小判形の位置決めピン４８と、接触子１３を取付ける爪部４９と、接触子１３の取付強度を補完する段部５１と、を形成したものである。なお、４８ａは位置決めピン４８の根元を示す。
【００２２】
爪部４９は、図６に示すように、接触子１３の取付けを容易にする斜面部（テーパ部）５２と、接触子１３の取付けを強固にするための平面部（フラット面）５３と、を備える。また、段部５１は、接触子１３の突出部６８，６８のエッジ６９，６９（図８参照）を回避する面取り部５４を備える。
【００２３】
図７は本発明に係るレバースイッチの接触子の平面図であり、図８は図７の８矢視図であり、接触子１３は、りん青銅若しくはベリリュウム銅等のばね材にて形成し、且つ金メッキ等の接触抵抗を下げるメッキ処理をした部材であり、操作レバー体１４に取付ける基部６１と、この基部６１から両側に延ばした左の接触片６２ａ，６２ｂ及び右の接触片６３ａ，６３ｂと、からなる。
【００２４】
基部６１は、操作レバー体１４の位置決めピン４８に嵌合させる位置決め孔６４と、この位置決め孔６４の一方近傍を折曲げるともに爪部４９に嵌合させる嵌合部６５と、位置決め孔６４の他方近傍を嵌合部６５とは逆方向に曲げ形成することで段部５１に当てる逆曲げ部６６と、からなる。
【００２５】
左の接触片６２ａ，６２ｂは、基部６１から円弧状に且つパラレルに延ばすことで弾性的に端子パターンに接触させてスイッチングさせる部分である。右の接触片６３ａ，６３ｂは、左の接触片６２ａ，６２ｂに対象形状である。
図８に示すように、嵌合部６５は、爪部４９に嵌合させる長孔６７を備え、逆曲げ部６６は、操作レバー体１４の段部５１に当てる突出部６８，６８を備える。なお、６９，６９は左右の突出部６８，６８のエッジを示す。
【００２６】
図９は図７の９−９線断面図であり、基部６１に、位置決めピン４８に嵌合させる位置決め孔６４を形成し、この位置決め孔６４の一方近傍を折曲げるともに爪部４９に嵌合させる嵌合部６５を形成し、位置決め孔６４の他方近傍を嵌合部６５とは逆方向に曲げ形成することで段部５１に当てる逆曲げ部６６を形成したことを示し、左右の接触片６２ａ，６２ｂ，６３ａ，６３ｂ（６２ａ，６３ａ，６３ｂは図７参照）を、端子パターン１２（図２参照）に接触させてスイッチングさせるために弾性的に形成したことを示す。
【００２７】
図１０（ａ），（ｂ）は本発明に係るレバースイッチのレバー体に接触子を取付手順及び取付状態の詳細を示す説明図である。
（ａ）において、操作レバー体１４の位置決めピン４８に、接触子１３の位置決め孔６４を合わせてセットし、操作レバー体１４に接触子１３を矢印ａ１，ａ２の如く当てることで、位置決めピン４８に位置決め孔６４を嵌合し、爪部４９に嵌合部６５の長孔６７を嵌合させ、段部５１に逆曲げ部６６の突出部６８，６８（一方の６８は不図示）を当てる。
【００２８】
（ｂ）において、操作レバー体１４に接触子１３を取付けた状態を示し、Ｅで示す嵌合部６５、位置決め孔６４及び逆曲げ部６６の範囲は、接触子１３の弾性変形を止めるように配慮した部分であり、Ｆで示す左右の接触片６２ａ，６２ｂ，６３ａ，６３ｂ（６２ａ，６３ａ，６３ｂは図７参照）の弾性変形を積極的に許容するように配慮した部分である。
【００２９】
すなわち、（ａ），（ｂ）において、操作レバー体１４を回転させることで、接触片１３に矢印ａ３の如く微少なスイングが発生したときに、段部５１に当てた逆曲げ部６６で左右の接触片６２ａ，６２ｂ，６３ａ，６３ｂ（６２ａ，６３ａ，６３ｂは図７参照）のスイングを断ち切ることができ、嵌合部６５及び位置決め孔６４に与える影響を最小限に止めることができる。この結果、安定したスイッチング動作の実現を図ることができる。
【００３０】
操作レバー体１４の爪部４９に、接触子１３の取付けを容易にする斜面部（テーパ部）５２を備えたので、接触子１３を容易に取付けることができる。この結果、接触子１３の取付けの作業性の向上を図ることができる。
また、接触子１３の取付けを強固にするための平面部（フラット面）５３を備えたので、接触子１３を強固に支持することができる。この結果、接触子１３の取付強度の確保を図ることができる。
【００３１】
さらに、操作レバー体１４の段部５１に、接触子１３の突出部６８，６８（一方不図示）のエッジ６９，６９（一方不図示）を回避する面取り部５４を備えたので、位置決めピン４８の根元４８ａまで接触子１３の基部６１を強固に押込むことができる。この結果、接触子１３の組付けの信頼性の向上を図るこいとができる。
【００３２】
図１１は本発明に係るレバースイッチの平面図であり、図１２は図１１の１２−１２線断面図である。
レバースイッチ１０は、復帰ばね１５の左右の端部２２，２３を、操作レバー体１４のばね掛け部４３に掛けるとともに、復帰ばね１５の左右の端部２２，２３を、ベース（スイッチハウジング）１１のばね支持部２９に掛けたことを示し、復帰ばね１５の左右の端部２２，２３を、交互にばね掛け部４３若しくはばね支持部２９に支持させることで、図面左右に安定してスイングさせることができる。
【００３３】
また、レバースイッチ１０は、操作レバー体１４に、ベース１１に回転自在に取付けるための軸受部４４を設け、この軸受部４４の廻りに復帰ばね１５を収納する凹部４６を設け、端子パターン１２から復帰ばね１５を絶縁したものと言える。さらに、端子パターン１２から復帰ばね１５を絶縁することで、ケース１６と端子パターン１２とを絶縁したものとも言える。
【００３４】
操作レバー体１４に、ベース１１に回転自在に取付けるための軸受部４４を設け、この軸受部４４の廻りに復帰ばね１５を収納する凹部４６を設けることで、端子パターン１２から復帰ばね１５の絶縁性を確保することができる。さらに、端子パターン１２から復帰ばね１５を絶縁することで、ケース１６及び端子パターン１２の絶縁性をも確保することができる。この結果、スイッチの信頼性の向上を図ることができる。
【００３５】
レバースイッチは、接触子１３を、凹部４６の廻りに且つ復帰ばね１５との干渉を回避する位置に配置したものとも言える。
接触子１３を、凹部４６の廻りに且つ復帰ばね１５との干渉を回避する位置に配置することで、レバースイッチの厚みを薄くすることができる。この結果、レバースイッチ１０の用途の拡大を図ることができる。
【００３６】
レバースイッチ１０は、ベース１１に形成した端子パターン１２と、この端子パターン１２に摺動させる接触子１３と、この接触子１３を取付けるとともにベース１１の略中央に回転自在に取付けた操作レバー体１４と、この操作レバー体１４及びベース１１間に介在させることで操作レバー体１４をセンタＣ（イニシャル位置）に復帰させる復帰ばね１５と、からなるレバースイッチにおいて、図１２に示すように、操作レバー体１４に、接触子１３を位置決めする位置決めピン４８と、接触子１３を取付ける爪部４９と、接触子１３の取付強度を補完する段部５１と、を備え、接触子１３に、位置決めピン４８に嵌合させる位置決め孔６４と、この位置決め孔６４の一方近傍を折曲げるともに爪部４９に嵌合させる嵌合部８６と、位置決め孔６４の他方近傍を嵌合部６５とは逆方向に曲げ形成することで段部５１に当てる逆曲げ部６６と、を備えたものと言える。
【００３７】
例えば、操作レバー体に接触子を強固に取付けることができるとともに安定したスイッチングを実現することができれば、スイッチの信頼性の向上を図ることができるので好ましいことである。
【００３８】
そこで、操作レバー体１４に、接触子１３を位置決めする位置決めピン４８と、接触子１３を取付ける爪部４９と、接触子１３の取付強度を補完する段部５１と、を備え、接触子１３に、位置決めピン４８に嵌合させる位置決め孔６４と、この位置決め孔６４の一方近傍を折曲げるともに爪部４９に嵌合させる嵌合部８６と、位置決め孔６４の他方近傍を嵌合部６５とは逆方向に曲げ形成することで段部５１に当てる逆曲げ部６６と、を備えることで、操作レバー体１４に接触子１３を強固に（確実に）取付けることができる。この結果、安定したスイッチング動作の実現を図ることができる。
【００３９】
以上に説明したレバースイッチ１０の動作を説明する。
図１３（ａ）〜（ｃ）は本発明に係るレバースイッチの動作を示す説明図である。
（ａ）において、レバースイッチ１０の初期状態では、操作レバー体１４はレバースイッチ１０のセンタＣに垂直に起立した状態にあり、接触子１３の接触片６２ａ，６２ｂ，６３ａ，６３ｂは端子パターン１２の絶縁部３１に位置させた状態にある。
【００４０】
（ｂ）において、操作レバー体１４を矢印ｂ１の如く回転させることで、左の接触片６２ａ，６２ｂを左端子３３に接触させるとともに右の接触片６３ａ，６３ｂを共通端子（コモン端子）３２に接触させる。この結果、左端子３３及び共通端子３２を導通状態にすることができる。
【００４１】
また、この状態では、復帰ばね１５の左の端部２２をベース１１側のばね支持部２９に支持させるとともに右の端部２３を操作レバー体１４のばね掛け部４３に支持させることで、操作レバー体１４の復帰力を蓄えることができる。これにより、操作レバー体１４のレバー部４２を矢印ｂ１の如く回転させた力を取り除くことで、（ａ）に示すセンタＣ（イニシャル位置）に復帰させることができる。
【００４２】
（ｃ）において、操作レバー体１４を矢印ｂ２の如く回転させることで、右の接触片６３ａ，６３ｂを右端子３４に接触させるとともに左の接触片６２ａ，６２ｂを共通端子（コモン端子）３２に接触させる。この結果、右端子３４及び共通端子３２を導通状態にすることができる。
【００４３】
また、この状態では、復帰ばね１５の右の端部２３をベース１１側のばね支持部２９に支持させるとともに左の端部２２を操作レバー体１４のばね掛け部４３に支持させることで、操作レバー体１４の復帰力を蓄えることができる。これにより、操作レバー体１４のレバー部４２を矢印ｂ２の如く回転させた力を取り除くことで、（ａ）に示すセンタＣ（イニシャル位置）に復帰させることができる。
【００４４】
すなわち、レバースイッチ１０は、１本の復帰ばね（捩りばね）１５の左右の端部２２，２３を、交互にベース１１側のばね支持部２９及び操作レバー体１４のばね掛け部４３に掛け換えて操作レバー体をセンタＣに復帰するようにしたので、安定した復帰力を得ることができる。この結果、信頼性の高い双方向動作スイッチの実現を図ることができる。
【００４５】
尚、本発明に係るレバースイッチは、図１３に示すように、左右両方向（双方向）からスイッチ動作をさせることができる双方向動作スイッチであったが、これに限るものではなく、一方方向から操作するレバースイッチであってもよい。
【００４６】
本発明に係るレバースイッチは、図２に示すように、ベース１１側に支軸２７を設け、操作レバー体１４側に軸受部４４を設けたが、これに限るものではなく、ベース側に軸受部を設け、操作レバー体側に支軸を設け、この支軸の廻りに復帰ばねを収納する凹部を設けたものであってもよい。
【産業上の利用可能性】
【００４７】
本発明に係るレバースイッチは、携帯電話やデジタルカメラなどの小型携帯機器に搭載するのに好適である。
【図面の簡単な説明】
【００４８】
【図１】本発明に係るレバースイッチの斜視図である。
【図２】本発明に係るレバースイッチの分解斜視図である。
【図３】本発明に係るレバースイッチのベースの平面図である。
【図４】本発明に係るレバースイッチのベースの底面図である。
【図５】本発明に係るレバースイッチの操作レバー体の平面図である。
【図６】本発明に係るレバースイッチの操作レバー体の側面図である。
【図７】本発明に係るレバースイッチの接触子の平面図である。
【図８】図７の８矢視図である。
【図９】図７の９−９線断面図である。
【図１０】本発明に係るレバースイッチのレバー体に接触子を取付手順及び取付状態の詳細を示す説明図である。
【図１１】本発明に係るレバースイッチの平面図である。
【図１２】図１１の１２−１２線断面図である。
【図１３】本発明に係るレバースイッチの動作を示す説明図である。
【図１４】従来の基本構成を説明する図である。
【符号の説明】
【００４９】
１０…レバースイッチ、１１…ベース、１２…端子パターン、１３…接触子、１４…操作レバー体、１５…復帰ばね、４４…軸受部、４６…凹部、４８…位置決めピン、４９…爪部、５１…段部、６４…位置決め孔、６５…嵌合部、６６…逆曲げ部。
【図１】
2006100169.tif 000003
【図２】
2006100169.tif 000004
【図３】
2006100169.tif 000005
【図４】
2006100169.tif 000006
【図５】
2006100169.tif 000007
【図６】
2006100169.tif 000008
【図７】
2006100169.tif 000009
【図８】
2006100169.tif 000010
【図９】
2006100169.tif 000011
【図１０】
2006100169.tif 000012
【図１１】
2006100169.tif 000013
【図１２】
2006100169.tif 000014
【図１３】
2006100169.tif 000015
【図１４】
2006100169.tif 000016